(57)【特許請求の範囲】
【請求項１】
印刷ジョブの一部を外部の無版方式の印刷装置に選択的に振り分けることが可能な孔版印刷装置であって、
印刷ジョブを受け付ける受付手段と、
前記受付手段により受け付けた印刷ジョブの機密性の有無を判断して、機密性の有る印刷ジョブを前記無版方式の印刷装置に振り分ける振分手段とを備えたことを特徴とする孔版印刷装置。
【請求項２】
前記印刷ジョブが機密性の有無を表す機密性識別情報を付帯するものであり、
前記振分手段が、前記機密性識別情報に基づいて、前記印刷ジョブの機密性の有無を判断するものであることを特徴とする請求項１記載の孔版印刷装置。
【請求項３】
前記振分手段に機密性の有る印刷ジョブを前記無版方式の印刷装置に振り分ける処理を選択的に行わせることを可能とする振分処理制御手段をさらに備えたことを特徴とする請求項１記載の孔版印刷装置。
【請求項４】
前記印刷ジョブに前記機密性識別情報を設定して付帯させる機密性識別情報設定手段をさらに備えたことを特徴とする請求項２記載の孔版印刷装置。
【請求項５】
前記機密性識別情報が、前記孔版印刷装置に印刷ジョブを送信可能に接続された情報端末機のプリンタドライバにおいて設定されたものであることを特徴とする請求項２記載の孔版印刷装置。
【請求項６】
前記印刷ジョブを印刷前に保持する保持手段と、
該保持手段により機密性の有る印刷ジョブが保持されようとしたとき、前記機密性の有る印刷ジョブが保持されないように制御する保持処理制御手段と、
該保持手段により機密性の有る印刷ジョブが保持されようとしたとき、前記機密性の有る印刷ジョブを保持させない旨をユーザーに報知する報知手段と
をさらに備えたことを特徴とする請求項１記載の孔版印刷装置。
【請求項７】
前記印刷ジョブを印刷前に保持する保持手段と、
該保持手段により機密性の有る印刷ジョブが保持されようとしたとき、機密性の有る印刷ジョブが保持されようとしている旨をユーザーに報知する報知手段と、
前記報知に応じて認証情報を設定可能とする認証情報設定手段と、
該認証情報設定手段により認証情報が設定された印刷ジョブの印刷に先立って認証情報を入力するための認証情報入力手段と、
該認証情報入力手段により入力された認証情報と前記認証情報設定手段により設定された認証情報とが一致したときにのみ、前記印刷を可能とする印刷処理制御手段とをさらに備えたことを特徴とする請求項１記載の孔版印刷装置。
【請求項８】
前記印刷ジョブを印刷後に保持する保持手段と、
前記機密性の有る印刷ジョブが保持されないように制御する保持処理制御手段とをさらに備えたことを特徴とする請求項１記載の孔版印刷装置。
【請求項９】
前記認証情報が、パスワード、ＩＣカード情報、生体情報のいずれかであることを特徴とする請求項７記載の孔版印刷装置。
【請求項１０】
前記認証情報設定手段により認証情報が設定された印刷ジョブの機密性識別情報の変更に先立って認証情報を入力するための第２の認証情報入力手段と、
該第２の認証情報入力手段により入力された認証情報と前記認証情報設定手段により設定された認証情報とが一致したときにのみ、前記機密性識別情報を変更可能とする変更処理制御手段をさらに備えたことを特徴とする請求項７記載の孔版印刷装置。
【発明の詳細な説明】
【技術分野】
【０００１】
本発明は、孔版印刷装置、特にレーザプリンタ等の無版方式の印刷装置と連携可能なシステムに接続され、孔版印刷の指示を受け付けた印刷処理の一部を無版方式の印刷装置に行わせることが可能な孔版印刷装置に関するものである。
【背景技術】
【０００２】
近年、レーザプリンタによれば画像品質のよい印刷結果が得られ、孔版印刷機によれば印刷枚数が多い場合に印刷費用を安くすることができるというそれぞれの利点を生かして、印刷したい文書データを両方の印刷装置により印刷可能にし、設定された印刷枚数が所定の枚数以上のときには孔版印刷機を選択し、所定の枚数を超えないときにはレーザプリンタを選択して印刷処理を行わせることにより、印刷処理の効率化を図る技術が知られている（特許文献１参照）。
【０００３】
孔版印刷機は有版方式の印刷機であり、印刷したい文書のデータから穿孔した穿孔済みのマスター（版）を作成して印刷処理を行うため、印刷後、穿孔（せんこう）済みマスターが印刷機の中に残ることになる。そこで、機密文書などを印刷した場合には、マスターを悪意のある第三者から守るために、マスターが巻装されたドラムや使用済みのマスターを貯容する排版ボックスの取り出しを制限したり（特許文献２参照）、刷り増しを禁止したり、印刷処理の完了後に機密を保持するための動作を推奨するなどの策を講じている。また、特許文献３では、使用済みマスターを熱切断することにより、内容の判別を不能にし、機密の漏洩を防止する排版装置も提案されている。
【特許文献１】特開２０００−８１９６０号公報
【特許文献２】特開２００６−１１０８９３号公報
【特許文献３】特開２００６−１５７１０号公報
【発明の開示】
【発明が解決しようとする課題】
【０００４】
しかしながら、従来の孔版印刷機では、上述のように穿孔済みのマスターからの情報漏れを防ぐため、使用済みのマスターを熱切断して廃棄する等の処理を行っていても、穿孔済みのマスターが作成されることには変わりが無く、マスターを廃棄する前にマスターからの情報漏れを完全に防ぐことは困難である。
【０００５】
また、設定された印刷枚数の多少に応じてレーザプリンタと孔版印刷機のいずれかを選択して印刷処理を行わせることにより印刷処理の効率化を図った上記技術では、機密性のある文書データであっても、設定された印刷枚数によっては孔版印刷機により印刷されることになるため、穿孔済みのマスターから機密性のある文書データの漏洩が生じる可能性がある。
【０００６】
本発明は、上記事情に鑑み、機密の漏洩をより確実に防止することがきる孔版印刷装置を提供することを目的とするものである。
【課題を解決するための手段】
【０００７】
本発明の孔版印刷装置は、印刷ジョブの一部を外部の無版方式の印刷装置に選択的に振り分けることが可能な孔版印刷装置であって、印刷ジョブを受け付ける受付手段と、その受付手段により受け付けた印刷ジョブの機密性の有無を判断して、機密性の有る印刷ジョブを無版方式の印刷装置に振り分ける振分手段とを備えたことを特徴とするものである。
【０００８】
ここで、無版方式の印刷装置とは、例えば、レーザプリンタ、インクジェットプリンタなど、例えば孔版のようなマスター（版）を作成することなく印刷処理を行う印刷装置を広く意味するものである。
【０００９】
ここで、機密性の有無の判断は、その印刷ジョブまたは印刷ジョブに係る印刷対象についての各種情報に基づいて行うことが可能であり、例えば、印刷ジョブの依頼先、設定された印刷条件、その印刷情報に係る印刷対象の作成者情報、その印刷対象の内容を解析した結果等に基づいて判断することができる。また、印刷ジョブに付帯された機密性の有無を直接表す機密性識別情報に基づいて判断するものであってもよい。
【００１０】
上記装置においては、印刷ジョブが機密性の有無を表す機密性識別情報を付帯するものであり、振分手段が、その機密性識別情報に基づいて、印刷ジョブの機密性の有無を判断するものであってもよい。
【００１１】
ここで、機密性識別情報を付帯するとは、機密性の有無を表す機密性識別データが印刷ジョブに物理的に付されている場合に限らず、機密性識別データが付されていない印刷ジョブであっても、その機密性識別データが付されていないという事実がその印刷ジョブの機密性の有無を表すように設定してあるときには、機密性識別情報を付帯していると解することが可能であるので、そのような機密性識別データが印刷ジョブに付されていない場合をも含むものとする。
【００１２】
また、上記装置は、振分手段に機密性の有る印刷ジョブを無版方式の印刷装置に振り分ける処理を選択的に行わせることを可能とする振分処理制御手段をさらに備えたものであってもよい。
【００１３】
さらに、印刷ジョブに機密性識別情報を設定して付帯させる機密性識別情報設定手段を備えたものであってもよい。
【００１４】
なお、機密性識別情報は、孔版印刷装置に印刷ジョブを送信可能に接続された情報端末機のプリンタドライバにおいて設定されたものであってもよい。
【００１５】
上記装置は、印刷ジョブを印刷前に保持する保持手段と、その保持手段により機密性の有る印刷ジョブが保持されようとしたとき、機密性の有る印刷ジョブが保持されないように制御する保持処理制御手段と、その保持手段により機密性の有る印刷ジョブが保持されようとしたとき、その機密性の有る印刷ジョブを保持させない旨をユーザーに報知する報知手段とをさらに備えたものであってもよい。
【００１６】
また、印刷ジョブを印刷前に保持する保持手段と、その保持手段により機密性の有る印刷ジョブが保持されようとしたとき、機密性の有る印刷ジョブが保持されようとしている旨をユーザーに報知する報知手段と、その報知に応じて認証情報を設定可能とする認証情報設定手段と、その認証情報設定手段により認証情報が設定された印刷ジョブの印刷に先立って認証情報を入力するための認証情報入力手段と、認証情報入力手段により入力された認証情報と認証情報設定手段により設定された認証情報とが一致したときにのみ、その印刷を可能とする印刷処理制御手段とをさらに備えたものであってもよい。
【００１７】
また、印刷ジョブを印刷後に保持する保持手段と、機密性の有る印刷ジョブが保持されないように制御する保持処理制御手段とをさらに備えたものであってもよい。
【００１８】
ここで、上記認証情報は、パスワード、ＩＣカード情報、生体情報のいずれかであってもよい。
【００１９】
また、上記装置は、認証情報設定手段により認証情報が設定された印刷ジョブの機密性識別情報の変更に先立って認証情報を入力するための第２の認証情報入力手段と、その  該第２の認証情報入力手段により入力された認証情報と認証情報設定手段により設定された認証情報とが一致したときにのみ、上記機密性識別情報を変更可能とする変更処理制御手段をさらに備えたものであってもよい。
【発明の効果】
【００２０】
本発明の孔版印刷装置によれば、印刷ジョブの一部を外部の無版方式の印刷装置に選択的に振り分けることが可能な孔版印刷装置であって、印刷ジョブを受け付ける受付手段と、その受付手段により受け付けた印刷ジョブの機密性の有無を判断して、機密性の有る印刷ジョブを無版方式の印刷装置に振り分ける振分手段とを備えているので、機密性の有る印刷ジョブについては無版方式の印刷装置に振り分けることができ、情報漏れのおそれがある穿孔済みのマスターが作成されないようにすることができるから、情報漏れを防止することができる。
【００２１】
上記装置が、印刷ジョブを印刷前に保持する保持手段と、その保持手段により機密性の有る印刷ジョブが保持されようとしたとき、その機密性の有る印刷ジョブが保持されないように制御する保持処理制御手段と、その機密性の有る印刷ジョブを保持させない旨をユーザーに報知する報知手段とをさらに備えたものである場合には、機密性のある印刷ジョブについて、印刷装置上で保持された状態、即ち印刷ジョブにおける機密情報が漏れてしまうおそれがある状態に置かれないようにすることができ、情報漏洩を防止することができる。
【００２２】
また、印刷ジョブを印刷前に保持する保持手段と、その保持手段により機密性の有る印刷ジョブが保持されようとしたとき、機密性の有る印刷ジョブが保持されようとしている旨をユーザーに報知する報知手段と、その報知に応じて認証情報を設定可能とする認証情報設定手段と、その認証情報設定手段により認証情報が設定された印刷ジョブの印刷に先立って認証情報を入力するための認証情報入力手段と、認証情報入力手段により入力された認証情報と認証情報設定手段により設定された認証情報とが一致したときにのみ、その印刷を可能とする印刷処理制御手段とをさらに備えた場合には、機密性の有る印刷ジョブが印刷装置上で保持される場合であっても、認証情報によるユーザー認証により、権限ある者のみによるその情報の印刷を可能にし、印刷ジョブの機密情報を安全に管理することができる。
【００２３】
また、認証情報設定手段により認証情報が設定された印刷ジョブの機密性識別情報の変更に先立って認証情報を入力するための第２の認証情報入力手段と、その第２の認証情報入力手段により入力された認証情報と認証情報設定手段により設定された認証情報とが一致したときにのみ、その機密性識別情報を変更可能とする変更処理制御手段をさらに備えた場合には、機密性の有る印刷ジョブについて、権限ある者のみによるその印刷ジョブについての機密性識別情報を変更可能にし、印刷ジョブにおける機密情報をより安全に管理することができる。
【発明を実施するための最良の形態】
【００２４】
以下、図面を参照して、本発明の一実施の形態について説明する。
【００２５】
図１は、印刷処理システム１の構成の概要を示すブロック図である。図に示すように、このシステム１では、孔版印刷装置１０が、外部の情報端末機３０（パーソナルコンピュータ等）に、その情報端末機３０から印刷ジョブを受信可能な状態で接続されている。また、受け付けた印刷ジョブの一部を外部のレーザプリンタ５０に選択的に振り分けることが可能な状態で接続されている。
【００２６】
情報端末機３０は、ユーザーによる対象データの印刷処理の指示に応じて、その対象データを印刷させるための印刷ジョブを孔版印刷装置１０に送信するプリンタドライバ３１を備える。この印刷ジョブには、その印刷ジョブの機密性の有無を表す機密性識別情報や印刷枚数（部数）、印刷する用紙のサイズ等の印刷条件を付帯させることができる。
【００２７】
この機密性識別情報は、その印刷ジョブに係る対象データの機密性の有無、その印刷ジョブの機密性の有無についてユーザーにより入力された情報、プリンタドライバ３１にデフォルトとして設定されている機密性の有無に関する情報等に基づいて、プリンタドライバ３１において設定される。
【００２８】
孔版印刷装置１０は、操作パネル１１、画像読取部１３、画像保存メモリ１４、機密性識別情報設定部１５、印刷ジョブ受付部１７、振分部２０、ホールドジョブ保存メモリ２２、ホールドジョブ制御部２３、および孔版印刷部２５等を備える。
【００２９】
操作パネル１１は、ジョブの状態、印刷の状況、印刷条件の設定状況、メッセージ等を表示する表示部、およびユーザーによる印刷条件の設定、印刷処理の指示、機密性認識条件の設定や変更、認証情報の設定等の入力を可能とする入力部を備える。
【００３０】
画像読取部１３（スキャナ）は、ユーザーによる読取処理（スキャン処理）の指示に従って、原稿読取台上に載せられた原稿の画像を読み取って、読み取った画像を表す画像データを生成する。
【００３１】
画像保存メモリ１４は、画像読取部１３において行われた読取ジョブごとに、生成された画像データを印刷処理可能な状態で保存する。
【００３２】
機密性識別情報設定部１５は、画像読取部１３により生成された画像データに、その画像データの機密性の有無を表す機密性識別情報を設定して付帯させる。
【００３３】
ここで、機密性識別情報は、画像読取部１３による読取に先立ってユーザーが操作パネル１１を用いて入力した機密性の有無についての情報、孔版印刷装置１０にデフォルトとして設定されている機密性の有無に関する情報等に基づいて設定される。
【００３４】
また、機密性識別情報設定部１５は、ホールドジョブ保存メモリ２２にホールドされた印刷ジョブについて、一旦設定された機密性識別情報を変更する機能をさらに有する。ただし、ホールドされた印刷ジョブのうち、認証情報の設定がされているものについては、その変更に先立ってユーザーに認証情報を入力させ、入力された認証情報が設定されている認証情報と一致したときにのみ、その変更が可能とされている。
【００３５】
ここで、認証情報は、ユーザーがその印刷ジョブに対して正当な権限ある者であるか否かを認証するためのものであり、例えば、パスワード、ＩＣカード情報、生体情報等が用いられる。
【００３６】
印刷ジョブ受付部１７は、情報端末機３０からプリンタドライバ３１を通じて受信した印刷ジョブや、孔版印刷装置１０の画像保存メモリ１４に保存されている画像データ（対象データ）についてユーザーにより印刷の指示を受けて発生した印刷ジョブ等を順次受け付ける。
【００３７】
振分部２０は、印刷ジョブ受付部１７において受け付けた印刷ジョブの機密性の有無を判断して、機密性の有る印刷ジョブをレーザプリンタ５０に振り分け、機密性のない印刷ジョブを孔版印刷部２５に振り分ける。ここで、機密性の有無を判断は、印刷ジョブに付帯された機密性の有無を表す機密性識別情報に基づいて行うことができる。
【００３８】
ここで、付帯された機密性識別情報としては、印刷ジョブに付された機密性識別用のデータに限らず、例えば、そのような機密性識別用のデータが付されていない印刷ジョブについて、その付されていないという事実からその印刷ジョブの機密性の有無が判断可能である場合には、その付されていないとの事実を用いることもできる。
【００３９】
なお、この機密性の有無の判断は、例えば、印刷ジョブの依頼先のセキュリティレベル、その印刷ジョブに係る対象データの作成者のセキュリティレベル、その対象データの内容を解析した結果として推定される機密性の有無等のその印刷ジョブに関連する各種情報に基づいて行うこともできる。
【００４０】
また、振分部２０は、印刷ジョブの一部をその印刷ジョブに設定された印刷枚数（部数）の多少に応じて孔版印刷部２５又はレーザプリンタ５０に選択的に振り分ける機能をさらに有する。具体的には、その印刷ジョブに設定された印刷枚数が所定の枚数以上のときには孔版印刷部２５に振り分け、所定の枚数を超えないときにはレーザプリンタ５０に振り分ける。なお、この印刷枚数（部数）の多少に応じた振分処理は、機密性のない印刷ジョブのみを対象として行うことがより好ましい。
【００４１】
なお、孔版印刷装置１０は、振分部２０の振分処理を制御する図示しない振分処理制御部を更に備える。この振分処理制御部は、ユーザーに、振分部２０に機密性の有る印刷ジョブをレーザプリンタ５０に振り分ける処理を行わせるか否かを選択させ、その選択に応じて振分部２０の振分処理を制御する。例えば、機密性の有無に応じた振分処理を行なわせるとの選択に応じて、振分部２０に機密性の有る印刷ジョブをレーザプリンタ５０に振り分ける処理を行うようにし、機密性の有無に応じた振分処理を行なわせないとの選択に応じて、上述した印刷枚数（部数）の多少に応じた振分処理、又は他の基準による印刷ジョブの振分処理を行わせる。
【００４２】
印刷ジョブ保存メモリ２２は、印刷ジョブ受付部１７において受け付けた印刷ジョブを保持（ホールド）するメモリやハードディスク等の記録媒体であり、印刷ジョブが処理待ちの状態にある場合、印刷ジョブが完了してない状態で印刷が終了または中断した場合、印刷後にその印刷ジョブに係る対象データを再利用可能とする場合等において、印刷ジョブを一時的に保持するものである。
【００４３】
ホールドジョブ制御手段２３は、印刷ジョブ保存メモリ２２（保持手段）により機密性の有る印刷ジョブが保持されようとしたとき、機密性の有る印刷ジョブが保持されようとしている旨をユーザーに報知するため、操作パネル１１の表示部にその旨のメッセージを表示させるとともに、認証情報を設定させるための設定画面を表示させる。そして、入力部から入力されたユーザーによる認証情報をその印刷ジョブに付帯させ、認証情報が付帯された印刷ジョブを印刷ジョブ保存メモリ２２に保持させる。
【００４４】
なお、ここでは、機密性のある印刷ジョブについて、認証情報を付帯させた上で印刷ジョブ保存メモリ２２への保持を可能としている場合について説明したが、印刷ジョブ保存メモリ２２により機密性の有る印刷ジョブが保持されようとしたとき、機密性の有る印刷ジョブが保持されようとしている旨をユーザーに報知し、その機密性の有る印刷ジョブが保持されないようにすることもできる。
【００４５】
また、ホールドジョブ制御手段２３は、操作パネル１１からのユーザーの入力に応じて、印刷ジョブ保存メモリ２２に保持されている印刷ジョブ（ホールドジョブ）の機密性識別情報を変更させる機能をさらに有する。ただし、印刷ジョブ保存メモリ２２に保持されている、認証情報が設定された印刷ジョブの機密性識別情報を変更する際には、その変更に先立ってユーザーに操作パネル１１の入力部等により認証情報を入力させ、その入力された認証情報がその印刷ジョブに設定されている認証情報と一致したときにのみ、その変更を可能とする。
【００４６】
また、機密性のない印刷ジョブの機密性識別情報が「機密性有り」に変更され、その印刷ジョブが引き続き印刷ジョブ保存メモリ２２に保持されようとしたときには、機密性の有る印刷ジョブが保持されようとしている旨をユーザーに報知するとともに、ユーザーに認証情報を設定させ、その設定された認証情報をその印刷ジョブに付帯させた上で印刷ジョブ保存メモリ２２への保持を可能とする。
【００４７】
また、ホールドジョブ制御手段２３は、操作パネル１１からのユーザーの入力に応じて、印刷ジョブ保存メモリ２２に保持されている印刷ジョブを印刷処理に供する際、認証情報が設定された印刷ジョブについては、その印刷に先立ってユーザーに操作パネル１１の入力部等により認証情報を入力させ、その入力された認証情報がその印刷ジョブに設定されている認証情報と一致したときにのみ、その印刷を可能とする機能をさらに有する。
【００４８】
孔版印刷部２５は、振分部２０により振り分けられた印刷ジョブに係る対象データに基づいて孔版原紙を製版し、その製版済孔版原紙を用いて印刷用紙に印刷を施す孔版印刷処理を行うものであり、その対象データを基に孔版原紙を製版する製版部、印刷用紙を供給する給紙部、孔版原紙を用いて印刷用紙に印刷する版胴、印刷された印刷用紙を排出する排紙部、孔版原紙を廃棄する排版部等を備えている。
【００４９】
レーザプリンタ５０は、孔版印刷装置の振分部２０により振り分けられた印刷ジョブを受け付ける印刷ジョブ受付部５１と、受け付けた印刷ジョブの印刷処理を実行するレーザ印刷部５２とを備えている。
【００５０】
以下、図２のフローチャートを参照して印刷処理システム１において行われる印刷処理の一例について説明する。
【００５１】
まず、情報端末機３０が、ユーザーによる対象データの印刷処理の指示に応じて、プリンタドライバ３１により機密性識別情報が設定された印刷ジョブを孔版印刷装置１０に送信し（ステップＳＴ１）、孔版印刷装置１０の印刷ジョブ受付部１７が、その送信された印刷ジョブを受け付ける（ステップＳＴ２）。次に、振分部２０が、印刷ジョブ受付部１７により受け付けた印刷ジョブの機密性の有無を判断し（ステップＳＴ３）、機密性の有る印刷ジョブをレーザプリンタ５０に振り分ける（ステップＳＴ４）。そして、レーザプリンタ５０の印刷ジョブ受付部５１が、その振り分けられた印刷ジョブを受け付け、レーザ印刷部５２がその印刷ジョブの印刷処理を行う（ステップＳＴ５）。
【００５２】
一方、ステップＳＴ３において機密性がないものと判断された印刷ジョブは、振分部により、その印刷ジョブの印刷枚数（部数）に応じて孔版印刷部２５又はレーザプリンタ５０に振り分けられ（ステップＳＴ６）、その振分処理により決定された出力先で印刷処理が行われる（ステップＳＴ５）。
【００５３】
次に、図３のフローチャートを参照して印刷処理システム１において行われる印刷処理の他の一例について説明する。
【００５４】
まず、孔版印刷機１０において、画像読取部１３による読取に先立ってユーザーが操作パネル１１を用いて機密性識別情報を設定する（ステップＳＴ１１）。ユーザーによる読取処理の指示に応じて画像読取部１３が原稿の画像を読み取って画像データを生成し、機密性識別情報設定部１５がその生成された画像データにステップＳＴ１１において設定された機密性識別情報を付帯させて画像保存メモリ１４に保存する（ステップＳＴ１２）。次に、印刷ジョブ受付部１７が、画像保存メモリ１４に保存されている画像データ（対象データ）についてユーザーにより印刷の指示を受けて発生した印刷ジョブを受け付ける（ステップＳＴ１３）。次に、振分部２０が、印刷ジョブ受付部１７により受け付けた印刷ジョブの機密性の有無を判断し（ステップＳＴ１４）、機密性の有る印刷ジョブをレーザプリンタ５０に振り分ける（ステップＳＴ１５）。そして、レーザプリンタ５０の印刷ジョブ受付部５１がその振り分けられた印刷ジョブを受け付け、レーザ印刷部５２により印刷処理を行う（ステップＳＴ１６）。
【００５５】
一方、印刷ジョブがステップＳＴ１４において機密性がないものと判断されると、振分部がその印刷ジョブを印刷枚数（部数）に応じて孔版印刷部２５又はレーザプリンタ５０に振り分け（ステップＳＴ１７）、その振分処理により決定された出力先で印刷処理を行う（ステップＳＴ１６）。
【００５６】
次に、図４のフローチャートを参照して印刷処理システム１において行われる印刷処理の他の一例について説明する。
【００５７】
まず、ユーザーが操作パネル１１を用いて印刷ジョブ保存メモリ２２に保持されている印刷ジョブのいずれかについて印刷処理を指示する（ステップＳＴ２１）。次に、ホールドジョブ制御手段２３が、振分部２０にその印刷ジョブの機密性の有無を判断させ（ステップＳＴ２２）、機密性の有る印刷ジョブについては、その印刷に先立ってユーザーに認証情報を入力させる（ステップＳＴ２３）。そして、その入力された認証情報がその印刷ジョブに設定されている認証情報と一致したとき、振分部２０によりその機密性の有る印刷ジョブをレーザプリンタ５０に振り分け（ステップＳＴ２４）、レーザプリンタ５０において印刷処理を行う（ステップＳＴ２５）。
【００５８】
一方、ステップＳＴ２３において入力された認証情報その印刷ジョブに設定されている認証情報と一致しないときには、認証を継続するか否かを判断し（ステップＳＴ２６）、継続するときには、ステップＳＴ２３に戻ってステップＳＴ２３以降の処理を繰り返す。継続しないときには、処理を終了する。
【００５９】
また、印刷ジョブがステップＳＴ２２において機密性がないものと判断されると、振分部がその印刷ジョブを印刷枚数（部数）に応じて孔版印刷部２５又はレーザプリンタ５０に振り分け（ステップＳＴ２７）、その振分処理により決定された出力先で印刷処理を行う（ステップＳＴ２５）。
【００６０】
このように、図２〜図４に示す各印刷処理においては、印刷ジョブの機密性の有無を判断して、機密性の有る印刷ジョブをレーザプリンタに振り分けているので、機密性の有る印刷ジョブについてはレーザプリンタに振り分けることができ、情報漏れのおそれがある穿孔済みのマスターが作成されないようにすることができるから、情報漏れを防止することができる。
【００６１】
次に、図５のフローチャートを参照して、印刷処理システム１において、印刷ジョブが印刷ジョブ保存メモリ２２に一時的に保持されようとするときに行われる処理の一例について説明する。
【００６２】
まず、ホールドジョブ制御手段２３が、振分部２０にその印刷ジョブの機密性の有無を判断させる（ステップＳＴ３１）。ステップＳＴ３１において機密性が有ると判断されると、操作パネル１１の表示部に「機密性の有る印刷ジョブなので、ホールドさせない」旨のメッセージを表示させてユーザーに報知する（ステップＳＴ３２）。また、その印刷ジョブを削除して、機密性の有る印刷ジョブが保持されないようにする（ステップＳＴ３３）。
【００６３】
一方、ステップＳＴ３１において機密性がないものと判断されると、その印刷ジョブを印刷ジョブ保存メモリ２２に保持させる（ステップＳＴ３４）。
【００６４】
これにより、機密性のある印刷ジョブについて、印刷装置上で保持された状態、即ち機密性のある情報が漏れてしまうおそれがある状態に置かれないようにすることができ、情報漏洩を防止することができる。
【００６５】
ここでは、機密性のある印刷ジョブについて、印刷ジョブ保存メモリ２２により保持されようとしたとき、機密性の有る印刷ジョブが保持されようとしている旨をユーザーに報知し、その印刷ジョブが保持されないようにする処理について説明したが、図６のフローチャートに示すように、認証情報を付帯させた上で印刷ジョブ保存メモリ２２への保持を可能とすることもできる。図６は、印刷処理システム１において、印刷ジョブが印刷ジョブ保存メモリ２２に一時的に保持されようとするときに行われる処理の他の一例を示すフローチャートである。
【００６６】
まず、ホールドジョブ制御手段２３が、振分部２０にその印刷ジョブの機密性の有無を判断させる（ステップＳＴ４１）。ステップＳＴ４１において機密性が有ると判断されると、操作パネル１１の表示部に「機密性の有る印刷ジョブなので、認証設定を求める」旨のメッセージを表示させてユーザーに報知する（ステップＳＴ４２）。ユーザーが認証情報を入力して、認証設定を行う（ステップＳＴ４３）。ホールドジョブ制御手段２３が、その入力された認証情報をその印刷ジョブに付帯させ、認証情報が付帯された印刷ジョブを印刷ジョブ保存メモリ２２に保持させる。（ステップＳＴ４４）。
【００６７】
一方、ステップＳＴ４１において機密性がないものと判断されると、その印刷ジョブを印刷ジョブ保存メモリ２２に保持させる（ステップＳＴ４５）。
【００６８】
これにより、機密性のある情報が印刷装置上で保持される場合であっても、認証情報によるユーザー認証により、権限ある者のみによるその情報の印刷を可能にし、機密情報を安全に管理することができる。
【００６９】
次に、図７のフローチャート４を参照して、印刷処理システム１において、印刷ジョブ保存メモリ２２に保持されている印刷ジョブの機密性識別情報を変更するときに行われる処理の一例について説明する。
【００７０】
まず、ユーザーが操作パネル１１を用いて印刷ジョブ保存メモリ２２に保持されている印刷ジョブのいずれかについて機密性識別情報の変更を指示する（ステップＳＴ５１）。次に、ホールドジョブ制御手段２３が、振分部２０にその印刷ジョブの機密性の有無を判断させ（ステップＳＴ５２）、機密性の有る印刷ジョブについては、その印刷に先立ってユーザーに認証情報を入力させる（ステップＳＴ５３）。そして、その入力された認証情報がその印刷ジョブに設定されている認証情報と一致したとき、その機密性識別情報の変更を可能とする（ステップＳＴ５４）。
【００７１】
一方、ステップＳＴ５３において入力された認証情報その印刷ジョブに設定されている認証情報と一致しないときには、認証を継続するか否かを判断し（ステップＳＴ５５）、継続するときには、ステップＳＴ５３に戻ってステップＳＴ５３以降の処理を繰り返す。継続しないときには、処理を終了する。
【００７２】
また、印刷ジョブがステップＳＴ５２において機密性がないものと判断されると、その印刷ジョブの機密性識別情報の変更を可能とする（ステップＳＴ５６）。次に、その機密性のない印刷ジョブの機密性識別情報が「機密性有り」に変更されたか否かを判断し（ステップＳＴ５７）。「機密性有り」に変更されたときには、操作パネル１１の表示部に「機密性の有る印刷ジョブなので、認証設定を求める」旨のメッセージを表示させてユーザーに報知する（ステップＳＴ５８）。ユーザーが認証情報を入力して、認証設定を行う（ステップＳＴ５９）。ホールドジョブ制御手段２３が、その入力された認証情報をその印刷ジョブに付帯させ、認証情報が付帯された印刷ジョブを印刷ジョブ保存メモリ２２に保持させる。（ステップＳＴ６０）。
【００７３】
これにより、機密性の有る印刷ジョブについて、権限ある者のみによるその印刷ジョブについての機密性識別情報を変更可能にし、機密情報をより安全に管理することができる。
【００７４】
なお、上記実施の形態では、操作パネル１１の表示部にメッセージを表示させて必要な情報をユーザーに報知する場合について説明したが、孔版印刷機１０に設けられたスピーカーによる警告音や音声等によりユーザーに報知するようにしてもよい。また、係る印刷ジョブが情報端末機から送信されたものである場合には、その情報端末機に備えるモニターの画面上に、その情報を知らせるポップアップウィンドウ等を表示させることにより報知するようにしてもよい。
【００７５】
また、上記実施の形態では、孔版印刷装置が、レーザプリンタと連携可能に接続され、孔版印刷の指示を受け付けた印刷処理の一部をレーザプリンタに選択的に振り分けるものである場合について説明したが、レーザプリンタの代わりにインクジェットプリンタなど他の無版方式の印刷装置と置き換えてもよいことは言うまでもない。
【図面の簡単な説明】
【００７６】
【図１】本発明による印刷処理システムの構成の概要を示すブロック図
【図２】情報端末機からの印刷ジョブの印刷時に行われる処理を示すフローチャート
【図３】スキャンした画像の印刷時に行われる処理を示すフローチャート
【図４】ホールドジョブの印刷時に行われる処理を示すフローチャート
【図５】印刷ジョブの保持処理の一例を示すフローチャート
【図６】印刷ジョブの保持処理の他の一例を示すフローチャート
【図７】ホールドジョブの機密性識別情報の変更時に行われる処理を示すフローチャート
【符号の説明】
【００７７】
１      印刷処理システム
１０    孔版印刷機
１１    操作パネル（報知手段、認証情報入力手段）
１３    画像読取部
１４    画像保存メモリ
１５    機密性識別情報設定部
１７    印刷ジョブ受付部
２０    振分部
２２    ホールドジョブ保存メモリ（保持手段）
２３    ホールドジョブ制御部（保持処理制御手段、認証情報設定手段、印刷処理制御手段、変更処理制御手段）
２５    孔版印刷部
３０    情報端末機
３１    プリンタドライバ
５０    レーザプリンタ
【図１】
0005060878.tif 000002
【図２】
0005060878.tif 000003
【図３】
0005060878.tif 000004
【図４】
0005060878.tif 000005
【図５】
0005060878.tif 000006
【図６】
0005060878.tif 000007
【図７】
0005060878.tif 000008